【手続補正書】
【提出日】平成21年8月25日(2009.8.25)
【手続補正１】
【補正対象書類名】明細書
【補正対象項目名】発明の名称
【補正方法】変更
【補正の内容】
【発明の名称】音声合成装置及びその制御方法、コンピュータ読取可能な記録媒体
【手続補正２】
【補正対象書類名】明細書
【補正対象項目名】特許請求の範囲
【補正方法】変更
【補正の内容】
【特許請求の範囲】
【請求項１】  合成音声を生成する音声合成装置であって、
利用者もしくは周囲環境の状況を示す環境情報値を測定する測定手段と、
前記測定手段で測定された環境情報値に基づいて、音声合成対象データに対応する合成音声信号の特性を決定する決定手段と、
前記決定手段で決定された特性で、前記音声合成対象データに対応する合成音声を出力する出力手段と
を備えることを特徴とする音声合成装置。
【請求項２】  前記測定手段は、利用者もしくは周囲環境の位置を示す位置情報値を測定する位置情報測定手段を含む
ことを特徴とする請求項１に記載の音声合成装置。
【請求項３】  前記測定手段は、利用者の周囲環境の気象状況を示す気象情報値を測定する気象情報測定手段を含む
ことを特徴とする請求項１または請求項２に記載の音声合成装置。
【請求項４】  前記測定手段は、利用者の当該音声合成装置の使用時間を示す時間情報値を測定する時間情報測定手段を含む
ことを特徴とする請求項１乃至請求項３のいずれか１項に記載の音声合成装置。
【請求項５】  前記測定手段は、利用者もしくは周囲環境の画像を示す画像報値を測定する画像情報測定手段を含む
ことを特徴とする請求項１乃至請求項４のいずれか１項に記載の音声合成装置。
【請求項６】  前記測定手段は、利用者もしくは周囲環境の音を示す音情報値を測定する音情報測定手段を含む
ことを特徴とする請求項１乃至請求項５のいずれか１項に記載の音声合成装置。
【請求項７】  前記測定手段は、当該音声合成装置の利用者とその周辺の対象物体間の距離を示す距離情報値を測定する距離情報測定手段を含む
ことを特徴とする請求項１乃至請求項６のいずれか１項に記載の音声合成装置。
【請求項８】  前記測定手段は、利用者の生体状況を示す生体情報値を測定する生体情報測定手段を含む
ことを特徴とする請求項１乃至請求項７のいずれか１項に記載の音声合成装置。
【請求項９】  合成音声を生成する音声合成装置の制御方法であって、
測定手段が、利用者もしくは周囲環境の状況を示す環境情報値を測定する測定工程と、
決定手段が、前記測定工程で測定された環境情報値に基づいて、音声合成対象データに対応する合成音声信号の特性を決定する決定工程と、
出力手段が、前記決定工程で決定された特性で、前記音声合成対象データに対応する合成音声を出力する出力工程と
を備えることを特徴とする音声合成装置の制御方法。
【請求項１０】  前記測定工程は、利用者もしくは周囲環境の位置を示す位置情報値を測定する位置情報測定工程を含む
ことを特徴とする請求項９に記載の音声合成装置の制御方法。
【請求項１１】  前記測定工程は、利用者の周囲環境の気象状況を示す気象情報値を測定する気象情報測定工程を含む
ことを特徴とする請求項９または請求項１０に記載の音声合成装置の制御方法。
【請求項１２】  前記測定工程は、利用者の当該音声合成装置の使用時間を示す時間情報値を測定する時間情報測定工程を含む
ことを特徴とする請求項９乃至請求項１１のいずれか１項に記載の音声合成装置の制御方法。
【請求項１３】  前記測定工程は、利用者もしくは周囲環境の画像を示す画像報値を測定する画像情報測定工程を含む
ことを特徴とする請求項９乃至請求項１２のいずれか１項に記載の音声合成装置の制御方法。
【請求項１４】  前記測定工程は、利用者もしくは周囲環境の音を示す音情報値を測定する音情報測定工程を含む
ことを特徴とする請求項９乃至請求項１３のいずれか１項に記載の音声合成装置の制御方法。
【請求項１５】  前記測定工程は、当該音声合成装置の利用者とその周辺の対象物体間の距離を示す距離情報値を測定する距離情報測定工程を含む
ことを特徴とする請求項９乃至請求項１４のいずれか１項に記載の音声合成装置の制御方法。
【請求項１６】  前記測定工程は、利用者の生体状況を示す生体情報値を測定する生体情報測定手段を含む
ことを特徴とする請求項９乃至請求項１５のいずれか１項に記載の音声合成装置の制御方法。
【請求項１７】  合成音声を生成する音声合成装置の制御のプログラムを記録したコンピュータ読取可能な記録媒体であって、
利用者もしくは周囲環境の状況を示す環境情報値を測定する測定工程と、
前記測定工程で測定された環境情報値に基づいて、音声合成対象データに対応する合成音声信号の特性を決定する決定工程と、
前記決定工程で決定された特性で、前記音声合成対象データに対応する合成音声を出力する出力工程と
をコンピュータに実行させるためのコンピュータ読取可能な記録媒体。
【手続補正３】
【補正対象書類名】明細書
【補正対象項目名】０００１
【補正方法】変更
【補正の内容】
【０００１】
【発明の属する技術分野】
本発明は、合成音声を生成する音声合成装置及びその制御方法、コンピュータ読取可能な記録媒体に関するものである。
【手続補正４】
【補正対象書類名】明細書
【補正対象項目名】０００７
【補正方法】変更
【補正の内容】
【０００７】
本発明は上記の課題を解決するためになされてものであり、利用者もしくはその周囲環境の情報を利用することにより、言語的には同一の内容でも環境に応じた多様な合成音声を生成することができる音声合成装置及びその制御方法、コンピュータ読取可能な記録媒体を提供することを目的とする。
【手続補正５】
【補正対象書類名】明細書
【補正対象項目名】００１４
【補正方法】削除
【補正の内容】
【手続補正６】
【補正対象書類名】明細書
【補正対象項目名】００１７
【補正方法】変更
【補正の内容】
【００１７】
上記の目的を達成するための本発明による音声合成装置の制御方法は以下の構成を備える。即ち、
合成音声を生成する音声合成装置の制御方法であって、
測定手段が、利用者もしくは周囲環境の状況を示す環境情報値を測定する測定工程と、
決定手段が、前記測定工程で測定された環境情報値に基づいて、音声合成対象データに対応する合成音声信号の特性を決定する決定工程と、
出力手段が、前記決定工程で決定された特性で、前記音声合成対象データに対応する合成音声を出力する出力工程と
を備える。
【手続補正７】
【補正対象書類名】明細書
【補正対象項目名】００１８
【補正方法】変更
【補正の内容】
【００１８】
合成音声を生成する音声合成装置の制御のプログラムを記録したコンピュータ読取可能な記録媒体であって、
利用者もしくは周囲環境の状況を示す環境情報値を測定する測定工程と、
前記測定工程で測定された環境情報値に基づいて、音声合成対象データに対応する合成音声信号の特性を決定する決定工程と、
前記決定工程で決定された特性で、前記音声合成対象データに対応する合成音声を出力する出力工程と
をコンピュータに実行させるためのコンピュータ読取可能な記録媒体。
【手続補正８】
【補正対象書類名】明細書
【補正対象項目名】０１０２
【補正方法】変更
【補正の内容】
【０１０２】
【発明の効果】
以上説明したように、本発明によれば、利用者もしくはその周囲環境の情報を利用することにより、言語的には同一の内容でも環境に応じた多様な合成音声を生成することができる音声合成装置及びその制御方法、コンピュータ読取可能な記録媒体を提供できる。